(57)【特許請求の範囲】
【請求項１】
真偽判別領域を有する基材の前記真偽判別領域の上に下地印刷層を設け、前記下地印刷層の上に見る角度により色が変化するパールインキからなるパール印刷層を備えた印刷物であって、
前記パール印刷層が、ロゴ、マーク、数字、記号、図形、又は文字等の目視可能な画像部分として構成されており、
前記下地印刷層がストライプ柄の目視可能な背景部分として構成されており、
前記真偽判別領域内には前記下地印刷層からなる部分と、前記下地印刷層と前記パール印刷層が積層された部分と、前記パール印刷層からなる部分とが設けられていることを特徴とする印刷物。
【請求項２】
前記基材上には墨インキからなる印刷層が形成されており、前記下地印刷層が前記印刷層の前記墨インキで形成されていることを特徴とする請求項１に記載の印刷物。
【発明の詳細な説明】
【技術分野】
【０００１】
本発明は、カラーコピー機を用いる偽造防止機能を有する印刷物に関し、詳しくは商品券、図書券、株券、証券、ギフト券、株主優待券、チケットなどの金券類、各種証明書、重要書類などへの使用に好適な偽造防止機能を有する印刷物に関する。
【背景技術】
【０００２】
従来、偽造防止機能を有する印刷物としては、見る角度によって色彩が変化する色彩可変印刷層と、色彩可変印刷層の上に紫外線または赤外線の照射により蛍光発光する光反応印刷層をパターン状に設けた構成の印刷媒体（例えば、特許文献１参照）、あるいは、印刷箇所の少なくとも一部がパール顔料及び蛍光顔料を含む偽造防止用インキで印刷されており、同時に偽造防止用インキで使用されているパール顔料によるインキにて少なくとも一部が印刷されている偽造防止印刷物（例えば、特許文献２参照）等が知られている。
【０００３】
しかしながら、前記印刷媒体あるいは偽造防止印刷物においては、パールインキを用いた印刷層上に蛍光インキによる印刷層が形成されているものであり、パールインキと蛍光インキの重ね刷りにより偽造防止効果を図るものであり、真偽判定には目視判定と例えば、ブラックライト等の器具を使用することによる判定が併用されるものである。
【先行技術文献】
【特許文献】
【０００４】
【特許文献１】特開２００２−２７４０００号公報
【特許文献２】特開２００２−２８５０６１号公報
【発明の概要】
【発明が解決しようとする課題】
【０００５】
そこで本発明は、上記問題を解決すべくなされたものであり、その目的とするところは印刷物に備えた真偽判別領域に設けたパール印刷層により形成された例えばロゴ、マーク等の画像を見る角度を変えることにより目視で十分に読み取ることができ、かつ、カラーコピーされた画像が確実に判別不能または判別困難となる偽造防止機能を有する印刷物を提供するものである。
【課題を解決するための手段】
【０００６】
本発明は、上記課題を達成するためになされたものであり、請求項１記載の本発明は、真偽判別領域を有する基材の前記真偽判別領域の上に下地印刷層を設け、前記下地印刷層の上に見る角度により色が変化するパールインキからなるパール印刷層を備えた印刷物であって、前記パール印刷層が、ロゴ、マーク、数字、記号、図形、又は文字等の目視可能な画像部分として構成されており、前記下地印刷層がストライプ柄の目視可能な背景部分として構成されており、前記真偽判別領域内には前記下地印刷層からなる部分と、前記下地印刷層と前記パール印刷層が積層された部分と、前記パール印刷層からなる部分とが設けられていることを特徴とする印刷物である。
【０００７】
また、請求項２記載の本発明は、請求項１に記載の印刷物において、前記基材上には墨インキからなる印刷層が形成されており、前記下地印刷層が前記印刷層の前記墨インキで形成されていることを特徴とするものである。
【発明の効果】
【００１１】
本発明の印刷物は、真偽判別領域を有する基材の前記真偽判別領域の上に下地印刷層を設け、前記下地印刷層の上に見る角度により色が変化するパールインキからなるパール印刷層を備えた構成とすることにより、下地印刷層が目止めとなり、基材表面を平滑にする効果とパール印刷層を形成するパールインキが基材に含浸することを防止する効果を奏し、パール印刷層で形成された画像がより鮮明に浮かび上がり、例えば、パール印刷層で形成されたロゴを見る角度を変えることにより容易に読み取ることができる。さらに、パール印刷層で形成された画像はカラーコピー機を用いて複写しても異なった色ないしはパールインキが有する光輝性が得られず目視画像を複写画像で再現することができないのでカラーコピー機による偽造防止が困難となる。
【００１２】
また、請求項１に記載の本発明は、下地印刷層をストライプ柄とすることにより、真偽判別領域内には基材の上にパール印刷層のみの部分と、下地印刷層のみの部分と、下地印刷層の上にパール印刷層が積層された部分が少なくとも存在することとなり、それぞれの部分においてパール印刷層の色彩が異なり、そのコントラストにより真偽判別が目視で簡単にできる。
【００１３】
また、請求項２に記載の本発明は、基材上に形成された墨インキからなる印刷層と同じ墨インキで下地印刷層が形成されるので印刷の色数を増やすことなく墨インキからなる印刷層と下地印刷層を同時に形成できるので原価低減が図れる。
【図面の簡単な説明】
【００１６】
【図１】本発明に係る印刷物の第一実施形態を示し、（イ）は平面図、（ロ）はＡ−Ａ線断面図である。
【図２】本発明に係る印刷物の第二実施形態を示す平面図である。
【図３】本発明に係る印刷物の第三実施形態を示し、（イ）は平面図、（ロ）はＢ−Ｂ線断面図である。
【図４】本発明に係る印刷物の第一実施形態をカラーコピー機で複写した複写物を示す平面図である。
【発明を実施するための形態】
【００１７】
上記の本発明について、図面等を用いて以下に詳述する。
図１は本発明に係る印刷物の第一実施形態を示し、（イ）は平面図、（ロ）はＡ−Ａ線断面図、図２は本発明に係る印刷物の第二実施形態を示す平面図、図３は本発明に係る印刷物の第三実施形態を示し、（イ）は平面図、（ロ）はＢ−Ｂ線断面図、図４は本発明に係る印刷物の第一実施形態をカラーコピー機で複写した複写物を示す平面図であり、図中の１、１Ａ、１Ｂは印刷物、１’は複写物、２は下地柄（２０）、３はロゴ（３０）、３’は複写されたロゴ、４は標題（４０）、５は商品券金額、６は発行会社名（４０）、７は地紋模様、１０は基材、１０’は複写物の基材、１１は真偽判別領域、２０は下地印刷層、３０はパール印刷層、４０は墨インキからなる印刷層、ＳＯは下地印刷層からなる部分、ＳＰは下地印刷層とパール印刷層が積層された部分、ＰＯパール印刷層からなる部分をそれぞれ示す。
【００１８】
図１は本発明に係る印刷物の第一実施形態を示し、（イ）は平面図、（ロ）はＡ−Ａ線断面図である。図１に示すように本発明の印刷物１は基材１０上に真偽判別領域１１を有している。真偽判別領域１１は基材１０上の所定位置に設けられ、真偽判別領域１１には下地印刷層２０により四角形の下地柄２が形成され、その上にパール印刷層３０によりロゴ３が形成されている。第一実施形態の印刷物１は商品券の例を示しており、上部に商品券等の標題４、中央には商品券金額５、下部には発行会社名６、左側には地紋模様７が印刷されている。標題４、商品券金額５、発行会社名６、地紋模様７は通常、プロセスカラーインキを用いてオフセット印刷される。第一実施形態の標題４および発行会社名６は墨インキからなる印刷層４０で形成されている。本発明の印刷物１はカラーコピー機を用いて偽造されることを防止する機能が要求される用途に用いられ、第一実施形態に示す商品券以外に、図書券、株券、証券、ギフト券、株主優待券、チケットなどの金券類、各種証明書、重要書類等に使用できる。基材１０上に設けられる真偽判別領域１１の所定位置は、特に限定されるものではないが、一見して判る目立つ位置が望ましい。
【００１９】
真偽判別領域１１は図１（ロ）に示すように基材１０の上に下地印刷層２０とパール印刷層３０が順に積層された構成である。下地柄２を形成する下地印刷層２０はベタ印刷、グラデーション柄の印刷、ストライプ柄等で設けることができ、下地柄２は例えば動物やキャラクターや図形等の特定パターンが使用される。第一実施形態の印刷物１の下地印刷層２０はベタ印刷して設けられ四角形の下地柄２を形成している。下地印刷層２０を形成するインキは、光反射率の低い暗色系のインキを用いる方がパール印刷層の画像がより鮮明になり、また、カラーコピーした場合にはパール印刷層の画像再現が困難となるので好ましい。特に図１（イ）に示すように標題４や発行会社名６に墨インキを用いた場合、下地印刷層２０は同じ墨インキを用いて墨インキからなる印刷層４０として形成することが特に好ましい。
【００２０】
下地印刷層２０の上に形成されるパール印刷層３０は、ロゴ、マーク、数字、記号、図形、文字等の特定パターンが用いられる。第一実施形態の印刷物１のパール印刷層３０はロゴ３が形成されている。パール印刷層３０は見る角度により色が変化するパールインキを用いてシルク印刷方式で下地印刷層２０の上に形成する。
パール印刷層３０を形成するためのパールインキとしては、屈折率の低い雲母やシリカ、アルミナと、屈折率の高い酸化ケイ素、酸化チタン、酸化スズ、酸化鉄などの金属酸化物とが層状配列された顔料を透明なビヒクル中に分散したものが使用できる。パールインキで印刷されたパール印刷層は、例えば、雲母と金属酸化物が組み合わされた多層膜になり、入射光は異なる屈折率を有する層の境界で多重反射し、また、反射光が相互に干渉することにより、パール特有の干渉色や高虹彩色と光沢が再現される。
【００２１】
図２は本発明に係る印刷物の第二実施形態を示す平面図である。第二実施形態の印刷物１Ａは、下地印刷層２０をグラデーション柄で設け、その上にパール印刷層３０を積層している。その他は第一実施形態と同じである。図２に示す下地印刷層２０の下地柄２は左から右の方向に向かって暗から明になるグラデーションを設けている。下地印刷層２０の下地柄２をグラデーションとすることにより、パール印刷層３０が下地のグラデーションに応じて色彩が変化し多彩に見えるのでより真偽判定が容易となる。なお、パール印刷層３０で形成されたロゴ３は下地印刷層２０と明確に表示するために白抜き文字で示す。
【００２２】
図３は本発明に係る印刷物の第三実施形態を示し、（イ）は平面図、（ロ）はＢ−Ｂ線断面図である。図３に示すように第三実施形態の印刷物１Ｂは下地印刷層２０の下地柄２を画線部と非画線部からなるストライプ柄で設け、その上にパール印刷層３０を積層している。図３（ロ）に示すように真偽判別領域１１内にはストライプ柄の画線部のみが表出した下地印刷層からなる部分ＳＯと、下地印刷層２０のストライプ柄の画線部の上にパール印刷層３０が積層された状態の下地印刷層とパール印刷層が積層された部分ＳＰと、下地印刷層２０のストライプ柄の非画線部であり基材１０上にパール印刷層３０が直接形成された状態のパール印刷層からなる部分ＰＯとが設けられている。円内にその拡大図を示す。前記３つの部分ＳＯ、ＳＰ、ＰＯが確保できれば、ストライプ柄の画線部の線幅、線間隔（非画線部の線幅）、線の角度は任意に形成できる。真偽判別領域１１内にパール印刷層のみの部分（ＰＯ）と、下地印刷層のみの部分（ＳＯ）と、下地印刷層の上にパール印刷層が積層された部分（ＳＰ）を存在させることにより、それぞれの部分において色が異なって見え、そのコントラストにより容易に真偽判別が可能となる。さらに、カラーコピー機を用いて複写してもパール印刷層３０の画像が再現されず偽造防止効果がより得られるものとなる。
【００２３】
図４は本発明に係る印刷物の第一実施形態をカラーコピー機で複写した複写物を示す平面図である。複写物１’では、パールインキからなるパール印刷層３０で形成されたロゴ３からなる特定パターンにおいて、パールインキの光輝性が失われ、色相もグレー系となったロゴ３’として複写物の基材１０’上に複写されている。すなわち、図１（イ）に示す印刷物１０と図４に示す複写物１’を比較して目視すればその違いに気付き即座に真偽判定ができる。
【符号の説明】
【００２４】
１、１Ａ、１Ｂ              印刷物
１’                        複写物
２                          下地柄（２０）
３                          ロゴ（３０）
３’                        複写されたロゴ
４                          標題（４０）
５                          商品券金額
６                          発行会社名（４０）
７                          地紋模様
１０                        基材
１０’                      複写物の基材
１１                        真偽判別領域
２０                        下地印刷層
３０                        パール印刷層
４０                        墨インキからなる印刷層
ＳＯ                        下地印刷層からなる部分
ＳＰ                        下地印刷層とパール印刷層が積層された部分
ＰＯ                        パール印刷層からなる部分
【図１】
0006497044.tif 000002
【図２】
0006497044.tif 000003
【図３】
0006497044.tif 000004
【図４】
0006497044.tif 000005